(57)【要約】【課題】  ワンタッチボタンを表示するためのワンタッチ情報を登録する際のユーザの労力を軽減することができるワンタッチ情報管理装置を提供する。【解決手段】  サーバがＭＦＰからの電子メールを受信したのであれば（Ｓ１０７）、認証されたユーザに対して、メールに含まれるワンタッチ情報がワンタッチ登録管理テーブルに登録されているかが判定される（Ｓ１０９）。登録されていなければ、ワンタッチ登録管理テーブルの認証されたユーザの欄に、ワンタッチ情報を記録する。記録されたワンタッチ情報は、次回以降に、ＭＦＰとサーバとの間でセッションが張られた時に、サーバからＭＦＰへ送信される（Ｓ１０５）。ＭＦＰは、送信されたワンタッチ情報に基づき、液晶表示部などにワンタッチボタンを作成、表示する。【選択図】        図５
2005328182.tif 000002
【特許請求の範囲】
【請求項１】
通信により外部の画像送信装置から画像データと共に、その画像データの送信のための設定情報を入力する入力手段と、
前記画像送信装置のユーザを特定する特定手段と、
前記特定されたユーザと前記送信のための設定情報とを対応付けて記憶する記憶手段と、
前記入力された画像データを、前記送信のための設定情報に従って外部へ送信する送信手段と、
ユーザからアクセスがあったときに、前記記憶手段からそのユーザに対する送信のための設定情報を読出し、ワンタッチボタンを作成するための情報として出力する出力手段とを備えた、ワンタッチ情報登録装置。
【請求項２】
前記画像データの送信のための設定情報は、画像データの送信先の情報である、請求項１に記載のワンタッチ情報登録装置。
【請求項３】
前記画像データの送信のための設定情報は、画像データの読取条件および送信条件の少なくとも１つを含む、請求項１または２に記載のワンタッチ情報登録装置。
【請求項４】
前記記憶手段は、前記特定手段で特定されたユーザに対応させて、前記入力手段に入力された画像データの送信のための設定情報が記憶されていない時に、前記ユーザと前記送信のための設定情報とを対応付けて記憶する、請求項１〜３のいずれかに記載のワンタッチ情報登録装置。
【請求項５】
前記入力手段は、前記画像送信装置からの電子メールにより、画像データとその画像データの送信のための設定情報を入力する、請求項１〜４のいずれかに記載のワンタッチ情報登録装置。
【請求項６】
前記記憶手段は、前記送信のための設定情報として、前記電子メールの送信宛先のアドレスを記憶する、請求項５に記載のワンタッチ情報登録装置。
【請求項７】
前記記憶手段は、複数のユーザで共用される送信のための設定情報を記憶し、
前記出力手段は、前記複数のユーザで共用される送信のための設定情報を併せて出力する、
請求項１〜６のいずれかに記載のワンタッチ情報登録装置。
【請求項８】
前記特定手段は、ユーザ認証により前記画像送信装置のユーザを特定する、請求項１〜７のいずれかに記載のワンタッチ情報登録装置。
【請求項９】
前記特定手段は、電子メールの送信元のアドレスに基づき前記画像送信装置のユーザを特定する、請求項１〜７のいずれかに記載のワンタッチ情報登録装置。
【請求項１０】
通信によりワンタッチ情報登録装置へ、ユーザを特定するための情報を送信する送信手段と、
前記送信手段による送信に基づいて、前記ワンタッチ情報登録装置が送信した、前記ユーザに対応するワンタッチボタンを作成するための情報を受信する受信手段と、
前記受信手段により受信されたワンタッチボタンを作成するための情報に基づいて、ワンタッチボタンを作成し、それを表示する表示手段と、
原稿から画像データを読取る読取手段と、
通信により前記ワンタッチ情報登録装置へ、前記読取手段により読取られた画像データ、およびその画像データの送信のための設定情報をワンタッチボタンを作成するための情報として出力する出力手段とを備えた、画像送信装置。
【請求項１１】
請求項１〜９のいずれかに記載のワンタッチ情報登録装置と、請求項１０に記載の画像送信装置とからなる、画像送信システム。
【請求項１２】
通信により外部の画像送信装置から画像データと共に、その画像データの送信のための設定情報を入力する入力ステップと、
前記画像送信装置のユーザを特定する特定ステップと、
前記特定されたユーザと前記送信のための設定情報とを対応付けて記憶手段に記憶する記憶ステップと、
前記入力された画像データを、前記送信のための設定情報に従って外部へ送信する送信ステップと、
ユーザからアクセスがあったときに、前記記憶手段からそのユーザに対する送信のための設定情報を読出し、ワンタッチボタンを作成するための情報として出力する出力ステップとをコンピュータに実行させる、ワンタッチ情報登録プログラム。
【請求項１３】
通信によりワンタッチ情報登録装置へ、ユーザを特定するための情報を送信する送信ステップと、
前記送信ステップによる送信に基づいて、前記ワンタッチ情報登録装置が送信した、前記ユーザに対応するワンタッチボタンを作成するための情報を受信する受信ステップと、
前記受信ステップにより受信されたワンタッチボタンを作成するための情報に基づいて、ワンタッチボタンを作成し、それを表示する表示ステップと、
原稿から画像データを読取る読取ステップと、
通信により前記ワンタッチ情報登録装置へ、前記読取手段により読取られた画像データ、およびその画像データの送信のための設定情報をワンタッチボタンを作成するための情報として出力する出力ステップとをコンピュータに実行させる、画像送信プログラム。
【発明の詳細な説明】
【技術分野】
【０００１】
この発明はワンタッチ情報登録装置、および画像送信装置に関し、特にワンタッチボタンを作成するための情報を容易に登録することができるワンタッチ情報登録装置、および画像送信装置に関する。
【背景技術】
【０００２】
従来より、ＭＦＰ（Multi Function Peripherals）などの原稿を読取るスキャナを備えた機器が知られており、ＭＦＰなどでスキャンして得られた電子データを他人に送信することが行なわれている。
【０００３】
ユーザがＭＦＰなどの操作パネルを操作して、所望の配信先に画像データの配信を行う場合、ワンタッチボタンを利用する場合が多い。ここに、ワンタッチボタンとは、操作パネルの液晶表示部などに表示されるボタン（または、機械的なスイッチにより構成されるボタン）であって、それを押下することで、そのワンタッチボタンに対応した宛先に（または、そのワンタッチボタンに対応した条件（スキャンモード、送信モードなど）で）送信を行なうためのボタンである。
【０００４】
ワンタッチボタンにより、ユーザの設定入力の労力が軽減される。
【０００５】
なお、先行技術として以下の特許文献１においては、画像を送受信するファクシミリ装置に関して、受信した画像メールからメールアドレスを抽出し、自動的に登録する技術が開示されている。
【０００６】
また、以下の特許文献２においては、スキャナ装置本体に入力されたユーザＩＤに対応付けてスキャン条件を登録しておくスキャナ装置が開示されている。
【０００７】
また、以下の特許文献３においては、ホストから予めスキャン条件などをスキャナ本体に予約しておくネットワークスキャナ装置が開示されている。この技術においては、スキャナ装置にＩＣカードが挿入されると、それに基づいて個人認証が行なわれ、予め予約されていたスキャン条件リストを読み出し、その中からユーザの選択が受付けられる。
【０００８】
以下の特許文献４においては、スキャンサーバが利用者ＩＤと読取条件などの読取情報を記録し、利用者ＩＤに対応する読取情報をスキャナに送信することが記載されている。スキャナは受信した読取情報を操作表示部に表示して、読取情報の設定変更を可能とする。
【特許文献１】特開２００３−３０１０８号公報
【特許文献２】特開２０００−３０７７８２号公報
【特許文献３】特開２００１−１４８７５３号公報
【特許文献４】特開２００３−８７４７９号公報
【発明の開示】
【発明が解決しようとする課題】
【０００９】
しかしながら、ワンタッチボタンには、宛先、条件などの情報（ワンタッチ情報）を登録する必要があるため、ユーザによって一度、登録作業が必要である。
【００１０】
この発明は、ワンタッチ情報を登録する際のユーザの労力を軽減することができるワンタッチ情報登録装置および画像送信装置を提供することをその目的としている。
【課題を解決するための手段】
【００１１】
上記目的を達成するためこの発明のある局面に従うと、ワンタッチ情報登録装置は、通信により外部の画像送信装置から画像データと共に、その画像データの送信のための設定情報を入力する入力手段と、画像送信装置のユーザを特定する特定手段と、特定されたユーザと送信のための設定情報とを対応付けて記憶する記憶手段と、入力された画像データを、送信のための設定情報に従って外部へ送信する送信手段と、ユーザからアクセスがあったときに、記憶手段からそのユーザに対する送信のための設定情報を読出し、ワンタッチボタンを作成するための情報として出力する出力手段とを備える。
【００１２】
好ましくは画像データの送信のための設定情報は、画像データの送信先の情報である。
【００１３】
好ましくは画像データの送信のための設定情報は、画像データの読取条件および送信条件の少なくとも１つを含む。
【００１４】
好ましくは記憶手段は、特定手段で特定されたユーザに対応させて、入力手段に入力された画像データの送信のための設定情報が記憶されていない時に、ユーザと送信のための設定情報とを対応付けて記憶する。
【００１５】
好ましくは入力手段は、画像送信装置からの電子メールにより、画像データとその画像データの送信のための設定情報を入力する。
【００１６】
好ましくは記憶手段は、送信のための設定情報として、電子メールの送信宛先のアドレスを記憶する。
【００１７】
好ましくは記憶手段は、複数のユーザで共用される送信のための設定情報を記憶し、出力手段は、複数のユーザで共用される送信のための設定情報を併せて出力する。
【００１８】
好ましくは特定手段は、ユーザ認証により画像送信装置のユーザを特定する。
【００１９】
好ましくは特定手段は、電子メールの送信元のアドレスに基づき画像送信装置のユーザを特定する。
【００２０】
この発明の他の局面に従うと、画像送信装置は、通信によりワンタッチ情報登録装置へ、ユーザを特定するための情報を送信する送信手段と、送信手段による送信に基づいて、ワンタッチ情報登録装置が送信した、ユーザに対応するワンタッチボタンを作成するための情報を受信する受信手段と、受信手段により受信されたワンタッチボタンを作成するための情報に基づいて、ワンタッチボタンを作成し、それを表示する表示手段と、原稿から画像データを読取る読取手段と、通信によりワンタッチ情報登録装置へ、読取手段により読取られた画像データ、およびその画像データの送信のための設定情報をワンタッチボタンを作成するための情報として出力する出力手段とを備える。
【００２１】
この発明のさらに他の局面に従うと、画像送信システムは、上述のいずれかに記載のワンタッチ情報登録装置と、上述の画像送信装置とから構成される。
【００２２】
この発明のさらに他の局面に従うと、ワンタッチ情報登録プログラムは、通信により外部の画像送信装置から画像データと共に、その画像データの送信のための設定情報を入力する入力ステップと、画像送信装置のユーザを特定する特定ステップと、特定されたユーザと送信のための設定情報とを対応付けて記憶手段に記憶する記憶ステップと、入力された画像データを、送信のための設定情報に従って外部へ送信する送信ステップと、ユーザからアクセスがあったときに、記憶手段からそのユーザに対する送信のための設定情報を読出し、ワンタッチボタンを作成するための情報として出力する出力ステップとをコンピュータに実行させる。
【００２３】
この発明のさらに他の局面に従うと、画像送信プログラムは、通信によりワンタッチ情報登録装置へ、ユーザを特定するための情報を送信する送信ステップと、送信ステップによる送信に基づいて、ワンタッチ情報登録装置が送信した、ユーザに対応するワンタッチボタンを作成するための情報を受信する受信ステップと、受信ステップにより受信されたワンタッチボタンを作成するための情報に基づいて、ワンタッチボタンを作成し、それを表示する表示ステップと、原稿から画像データを読取る読取ステップと、通信によりワンタッチ情報登録装置へ、読取手段により読取られた画像データ、およびその画像データの送信のための設定情報をワンタッチボタンを作成するための情報として出力する出力ステップとをコンピュータに実行させる。
【発明の効果】
【００２４】
この発明に従うワンタッチ情報登録装置によると、通信により外部の画像送信装置から画像データと共に、その画像データの送信のための設定情報を入力し、ユーザと送信のための設定情報とを対応付けて記憶し、ユーザからアクセスがあったときに、記憶手段からそのユーザに対する送信のための設定情報を読出し、ワンタッチボタンを作成するための情報として出力するため、ワンタッチボタンを作成するための情報を登録する際のユーザの労力を軽減することができるワンタッチ情報登録装置を提供することができる。
【００２５】
また、この発明の他の局面に従う画像送信装置によると、ワンタッチ情報登録装置が送信したワンタッチボタンを作成するための情報に基づいて、ワンタッチボタンを作成し、通信によりワンタッチ情報登録装置へ、読取手段により読取られた画像データおよびその画像データの送信のための設定情報をワンタッチボタンを作成するための情報として出力するため、ワンタッチボタンを作成するための情報を登録する際のユーザの労力を軽減することができる画像送信装置を提供することができる。
【発明を実施するための最良の形態】
【００２６】
図１は、本発明の実施の形態の１つにおける、ワンタッチ情報登録装置および画像送信装置を含む画像送信システムの構成を示すブロック図である。
【００２７】
図を参照して、画像送信システムは、それぞれがネットワークに接続された画像送信装置としてのＭＦＰ１００ａ，１００ｂと、ユーザＰＣ３００ａ，３００ｂと、ワンタッチ情報登録装置としてのサーバ４００とから構成される。
【００２８】
ＭＦＰ１００ａ（または１００ｂ）で読取った画像データをサーバ４００を経由して外部のＰＣ３００ａ（または３００ｂ）に配信する場合、ＭＦＰ１００ａは、ＭＦＰのユーザが行なった設定も画像データと同時にサーバ４００に送信する。ＭＦＰ１００ａとサーバ４００との間で、あるユーザアカウントでセッションが保持されている場合であって、送信されてきた設定がそのユーザの設定としてサーバ４００に保存されていない時には、サーバ４００は、送信されてきた設定をそのユーザの設定（ワンタッチ情報）として保存する。
【００２９】
例えば、ＭＦＰ１００ａからの画像の送信方法としては、電子メールや専用のソフトによる送信を使用することができる。電子メールで送信を行なう場合、サーバ４００はメールサーバの役割を果たす。
【００３０】
なお、ＭＦＰ１００ａとサーバ４００との間でＰｕｂｌｉｃのアカウント（特にユーザを特定せず、誰でも使用できるアカウント）でセッションが保持されている場合、またはセッションが無い場合は、サーバ４００は受信した電子メールの“Ｆｒｏｍ”アドレスなどから、画像の送信を行なったユーザを特定し、そのユーザの設定（ワンタッチ情報）として保存する。
【００３１】
保存された設定は、次回以降に、ＭＦＰ１００ａまたはＭＦＰ１００ｂとサーバ４００との間でセッションが張られた時に、サーバ４００からＭＦＰ１００ａまたはＭＦＰ１００ｂへ送信される。ＭＦＰ１００ａまたはＭＦＰ１００ｂは、送信された設定（ワンタッチ情報）に基づき、液晶表示部などにワンタッチボタンを作成、表示する。このワンタッチボタンをユーザが利用することにより、特に設定を行なうことなく容易に送信を行うことができる。
【００３２】
このように、本実施の形態では、ＭＦＰとサーバとが連携することによりワンタッチ情報が自動的に登録されてゆくため、ユーザがワンタッチ情報をその登録のための専用の操作により登録する必要がなくなる。また、サーバにワンタッチ情報が登録されるので、複数のＭＦＰなどでワンタッチ情報を共有することが可能である。すなわち、ＭＦＰ１００ａで登録されたワンタッチ情報は、ＭＦＰ１００ｂでも有効である。
【００３３】
またサーバにワンタッチ情報を記録することで、ＭＦＰなどのデバイスにワンタッチ情報を記録する場合と比較して、登録数などの制限が少ないというメリットがある。
【００３４】
図２は、図１のＭＦＰ１００ａ，１００ｂの１つの構成を示すブロック図である。ＭＦＰ（Multi-function Peripherals）は、スキャナ機能、複写機能、ファックス機能、プリンタ機能等を備えた複合機である。
【００３５】
図を参照して、ＭＦＰ１００は、操作パネルを制御するためのパネルアプリケーション１０１と、プリンタ制御のためのプリンタアプリケーション１０３と、スキャナ制御のためのスキャナアプリケーション１０５と、これらのアプリケーションを実行して各種の処理を行なうＣＰＵ１５１と、ファクシミリ送受信のためのファクシミリアプリケーション１０７と、画像データを保持するボックス（ハードディスクドライブ）の制御を行なうためのボックスアプリケーション１０９とを有している。
【００３６】
スキャナアプリケーション１０５は、スキャナの制御、フォーマット変換、メール作成、メール送信、ジョブ管理などの処理を実行するためのソフトウェアプログラムである。
【００３７】
ＭＦＰ１００は、制御層ＡＰＩ（application program interface）１１１と、Ｉ／Ｏ制御ブロック１１３と、エンジン制御ブロック１１５と、ＯＳ（operating system）１１７と、ハードディスクドライブ（ボックス）１１９とを備えている。
【００３８】
また、ＭＦＰ１００は、ハードウェアとしてのプリンタ１２１と、読取手段としてのスキャナ１２３と、Ｉ／Ｏ１２５と、操作パネル１２７とを有している。
【００３９】
なお、ここで操作パネル１２７は、液晶表示装置にタッチパネルを積層した構造を有し、液晶表示装置にワンタッチ情報に基づきワンタッチボタンを表示させ、タッチパネルによりワンタッチボタンが押下されたことを検出するものとする。
【００４０】
操作パネル１２７の操作により（図中（１））、スキャナ１２３により原稿の読取が行なわれると（図中（２））、読取られたデータは、スキャナアプリケーション１０５に送られ、スキャンデータのフォーマット変換、メール作成、メール送信が行なわれる（図中（３））。その後データはＩ／Ｏ１２５を介して外部に送信される（図中（４））。図２中の矢印は、かかるデータの流れを示すものである。
【００４１】
図３は、図１のＰＣ３００ａ，３００ｂ、およびサーバ４００のうちの１つの構成を示すブロック図である。これらは、一般的なパーソナルコンピュータにより構成され、本実施の形態では互いに同一の構成を持つものとする。
【００４２】
図を参照して、ＰＣ（またはサーバ）は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００４３】
フレキシブルディスクドライブ６１１により、フレキシブルディスクＦに記録されたプログラムなどのデータを読取ることが可能であり、ＣＤ−ＲＯＭドライブ６１３により、ＣＤ−ＲＯＭ６１３ａに記録されたプログラムなどのデータを読取ることが可能である。
【００４４】
図４は、本実施の形態におけるＭＦＰ１００とサーバ４００とＰＣ３００ａとの間で行なわれる処理を説明するための図である。かかる処理は、ＭＦＰ１００、サーバ４００、ＰＣ３００ａそれぞれにインストールされた制御プログラム（ＭＦＰ１００の場合であれば図２のスキャナアプリケーション１０５）に従って、各装置のＣＰＵが実行する。
【００４５】
ここではユーザが、ＭＦＰ１００でスキャンした画像のデータをサーバ４００を介してＰＣ３００ａに送信する場合を例に挙げて説明する。
【００４６】
（１）  先ずユーザは、ＭＦＰ１００の場所に行き、ＭＦＰの操作パネル１２７を用いてユーザアカウントを入力する。すると、ＭＦＰ１００はそのユーザアカウントを使用してサーバ４００に認証を行う（図中（１））。認証が成功するとＭＦＰ１００とサーバ４００との間でセッションが確立する。
【００４７】
（２）  認証が成功すると、サーバ４００はＰｕｂｌｉｃのワンタッチ情報（不特定多数の者など複数のユーザで共用されるワンタッチ情報）とユーザ個人のワンタッチ情報のデータをＭＦＰ１００に渡す（図中（２））。
【００４８】
（３）  ＭＦＰ１００は、ワンタッチ情報から操作パネル１２７上にワンタッチボタンを作成し、表示する（図中（３））。
【００４９】
（４）  ユーザが、ワンタッチボタンの利用の有無に関わらずＭＦＰ１００でスキャンを開始すると、ＭＦＰ１００は、画像データと共にその設定（ワンタッチ情報）をサーバ４００に送信する（図中（４））。
【００５０】
（５）  サーバ４００は、受信したワンタッチ情報をセッションが確立しているユーザのワンタッチ情報として登録する（図中（５））。
【００５１】
（６）  サーバ４００は、画像データを指定の配信方法で送信する（図中（６））。
【００５２】
なお、ここに送信方法は、電子メール、ＦＴＰ、ＳＭＢなどのいずれにおいても送信が可能であるが、ここでは電子メールを用いた送信を行なう場合を例に挙げ、説明を行なう。また、ＭＦＰ１００が画像データと共にサーバ４００に送信する設定（ワンタッチ情報）は、ここでは画像データの宛先と読取条件（スキャンモード）、送信条件などの条件とするが、その一部だけであっても構わない。
【００５３】
図５は、サーバ４００で行なわれる処理を示すフローチャートである。
【００５４】
ステップＳ１０１において、ＭＦＰからログインがあったのであれば（ここではユーザＡのログインであるものとする）、ステップＳ１０３で認証を行なう。認証ＯＫであれば、ステップＳ１０５で、ハードディスク６１５に記録されたワンタッチ登録管理テーブル（図７）に基づき、認証されたユーザ（ここではユーザＡ）とＰｕｂｌｉｃに対応するワンタッチ情報をＭＦＰに送信する。
【００５５】
なお、Ｐｕｂｌｉｃのワンタッチ情報は送信しなくてもよいし、送信するか否かをユーザが選択できるようにしてもよい。
【００５６】
その後、ＭＦＰにおいては、送信されてきたワンタッチ情報に基づき、操作パネル１２７にワンタッチボタンを表示し、そこからの入力を受付け、原稿のスキャンおよび送信を行なう。
【００５７】
ステップＳ１０７でサーバ４００がＭＦＰからの電子メールおよびワンタッチ情報を受信したのであれば、ステップＳ１０９で、認証されたユーザに対して、受信されたワンタッチ情報がワンタッチ登録管理テーブルに登録されているかが判定される。
【００５８】
ステップＳ１０９でＮＯであれば、ステップＳ１１１でワンタッチ登録管理テーブルの認証されたユーザの欄に、ワンタッチ情報を記録する。ここにワンタッチ情報としての「宛先」は、電子メールの“ｔｏ”欄から知得することができる。
【００５９】
その後、ステップＳ１１３でサーバ４００から本来の宛先に、データの送信が行なわれる。
【００６０】
なお、ステップＳ１０９でＹＥＳであれば、すでにワンタッチ登録管理テーブル同じ情報が登録されているため、新たな登録は行なわず、そのままステップＳ１１３へ進む。
【００６１】
図６は、ＭＦＰの操作パネル１２７に表示されるワンタッチボタンの具体例を示す図である。
【００６２】
ここでは、宛先とスキャン条件とをワンタッチ情報とし、ワンタッチボタンを表示させる例が示されている。ユーザごとに、そのユーザに対応するワンタッチ情報がサーバから読出され、図６に示されるようなワンタッチボタンが表示される。
【００６３】
ワンタッチボタンをユーザが押下することで、宛先、条件（スキャンモード、送信モードなど）の設定が自動で行なわれる。
【００６４】
また、図６における「未登録の送信先」のボタンを押下することで、ワンタッチボタンに登録されていない宛先、条件による送信を行うことが可能である。そして、そのような未登録の宛先、条件による送信が行われると、その情報は新たなワンタッチ情報として、ユーザに対応付けてサーバに蓄積される。
【００６５】
図７は、ワンタッチ登録管理テーブルの具体例を示す図である。
【００６６】
図を参照して、ユーザ（アカウント）ごとにワンタッチＮｏ．、それに対応する宛先、およびスキャンモードが記録される。
【００６７】
なお、ワンタッチＮｏ．とは、ワンタッチボタンの表示順を示す番号であり、図６の（１）〜（３）の数値に対応する。
【００６８】
なお、この図においては１つのワンタッチＮｏ．に対応付けて、１つの宛先が登録されているのみであるが、１つのワンタッチＮｏ．に対応付けて、複数の宛先を登録するようにしてもよい。この場合、図５のステップＳ１０９では、複数の宛先が完全に一致する登録がすでになされているかが判定される。
【００６９】
また、ワンタッチ情報として宛先だけを登録する場合には、図７の「スキャンモード」の欄はなくてよく、この場合、図６のワンタッチボタンにおいても、宛先のみが表示されることとなる。
【００７０】
また、ワンタッチ情報としてスキャンモードだけを登録する場合には、図７の「宛先」の欄はなくてよく、この場合、図６のワンタッチボタンにおいても、スキャン条件のみが表示されることとなる。また、スキャン条件に代えて、送信条件（送信モード）をワンタッチ情報として登録するようにしてもよい。
【００７１】
図８は、ＭＦＰ１００で行なわれる処理を示すフローチャートである。
【００７２】
図を参照して、ステップＳ２０１でユーザがログインすると、サーバ４００で認証を行なう。ステップＳ２０３で、サーバ４００から送られた、認証されたユーザに対応するワンタッチ情報、Ｐｕｂｌｉｃに対応するワンタッチ情報を受信する。
【００７３】
ステップＳ２０５で、受信されたワンタッチ情報に基づき、ワンタッチボタンを作成し、液晶表示装置に表示する。ステップＳ２０７で、原稿の読取りを行ない、ステップＳ２０７でその宛先、条件などのワンタッチ情報を入力する。
【００７４】
ステップＳ２０９で、画像データと共に、その宛先などのワンタッチ情報がサーバ４００経由で本来の宛先に送信される。また、サーバにワンタッチ情報の登録がなければ、新たなワンタッチ情報として登録される。
【００７５】
本実施の形態によると、ユーザがＭＦＰなどで利用するワンタッチ情報をサーバが自動登録することにより、ユーザの負担を減少させることができる。また、ＭＦＰなどの本体の操作パネルにおける操作性が向上する。
【００７６】
［変形例１］
なお、上述の実施の形態においてはアカウントに基づいてユーザを特定し、ワンタッチ情報を記録することとしたが、これに代えて、電子メールの“Ｆｒｏｍ”アドレスからユーザを特定し、ユーザに対応付けてワンタッチ情報を登録するようにしてもよい。
【００７７】
すなわち、図４を参照して本変形例においては以下の処理が行なわれる。
【００７８】
（１）  ユーザは、ＭＦＰ１００の操作パネル１２７でＰｕｂｌｉｃアカウントを入力すると、ＭＦＰ１００はそのＰｕｂｌｉｃアカウントを使用してサーバ４００に認証を行なう（図中（１））。成功するとセッションが確立する。
【００７９】
（２）  認証が成功すると、サーバはＰｕｂｌｉｃのワンタッチ情報のデータ（図７参照）をＭＦＰに渡す（図中（２））。
【００８０】
（３）  ＭＦＰ１００は、ワンタッチ情報からワンタッチボタンを作成する（図中（３））。
【００８１】
（４）  ユーザが、ワンタッチボタンの利用の有無に関わらずスキャンを開始するとＭＦＰは、画像データと共にワンタッチ情報（例えば、送信宛先と読取設定）をサーバ４００に送信する（図中（４））。
【００８２】
（５）  サーバは、メールヘッダの“Ｆｒｏｍ”のアドレスからユーザを特定し、ワンタッチ情報をそのユーザのワンタッチ情報として登録する（図中（５））。
【００８３】
“Ｆｒｏｍ”のアドレスからユーザを特定できない場合は、過去の送信宛先の履歴からユーザを特定し、ワンタッチ情報として登録する。
【００８４】
（６）  サーバ４００は、画像データを指定の配信方法で本来の宛先に送信する（図中（６））。
【００８５】
［変形例２］
なお、上述の実施の形態においてはアカウントに基づいてユーザを特定し、ワンタッチ情報を記録することとしたが、セッションの確立なしに、ユーザに対応付けてワンタッチ情報を登録できるようにしてもよい。
【００８６】
すなわち、図４を参照して本変形例においては以下の処理が行なわれる。
【００８７】
（１）  ユーザは、ＭＦＰ１００のパネルからサーバ４００にアクセスし、ＭＦＰのワンタッチ情報の更新を要求する。このとき、セッションの確立はない（図中（１））。
【００８８】
（２）  サーバ４００は、登録されているワンタッチ情報のデータをＭＦＰ１００に渡す（図中（２））。
【００８９】
（３）  ＭＦＰ１００は、ワンタッチ情報からワンタッチボタンを作成する（図中（３））。
【００９０】
（４）  ユーザが、ワンタッチボタンの利用の有無に関わらずスキャンを開始するとＭＦＰ１００は、画像データと共にワンタッチ情報（送信宛先と読取設定など）をサーバに送信する（図中（４））。
【００９１】
（５）  サーバ４００は、メールヘッダの“Ｆｒｏｍ”のアドレスからユーザを特定し、ワンタッチ情報をそのユーザのワンタッチ情報として登録する（図中（５））。
【００９２】
“Ｆｒｏｍ”のアドレスからユーザを特定できない場合は、過去の送信宛先の履歴からユーザを特定し、ワンタッチ情報として登録する。
【００９３】
（６）  サーバは、画像データを指定の配信方法で送信する（図中（６））。
【００９４】
［その他］
なお、ＭＦＰからサーバへの画像データの送信は、電子メールの添付ファイルとして行なってももよいし、単純に画像データだけを送信するようにしてもよい。
【００９５】
また、ＭＦＰからサーバに送信するワンタッチ情報は、送信先を示す電子メールの“ｔｏ”アドレスなどに含めることとしてもよいし、電子メールの本文に書き込むようにしてもよい。また、添付のデータとしてもよいし、画像データに埋め込むようにしてもよい。
【００９６】
なお、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して装置にダウンロードするようにしてもよい。
【００９７】
また、上述の実施の形態では、画像送信装置としてＭＦＰを例示したが、本発明の画像送信装置はＭＦＰ以外の装置であってもよい。例えば、ネットワーク機能を有したスキャナによっても画像送信装置を構成することができる。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９９】
【図１】本発明の実施の形態の１つにおける、ワンタッチ情報登録装置および画像送信装置を含む画像送信システムの構成を示すブロック図である。
【図２】図１のＭＦＰ１００ａ，１００ｂの１つの構成を示すブロック図である。
【図３】図１のＰＣ３００ａ，３００ｂ、およびサーバ４００のうちの１つの構成を示すブロック図である。
【図４】ＭＦＰ１００とサーバ４００とＰＣ３００ａとの間で行なわれる処理を説明するための図である。
【図５】サーバ４００で行なわれる処理を示すフローチャートである。
【図６】ＭＦＰの操作パネル１２７に表示されるワンタッチボタンの具体例を示す図である。
【図７】ワンタッチ登録管理テーブルの具体例を示す図である。
【図８】ＭＦＰ１００で行なわれる処理を示すフローチャートである。
【符号の説明】
【０１００】
１００，１００ａ，１００ｂ  ＭＦＰ、１２３  スキャナ、１２７  操作パネル、３００ａ〜３００ｃ  ＰＣ、４００  サーバ。
【図１】
2005328182.tif 000003
【図２】
2005328182.tif 000004
【図３】
2005328182.tif 000005
【図４】
2005328182.tif 000006
【図５】
2005328182.tif 000007
【図６】
2005328182.tif 000008
【図７】
2005328182.tif 000009
【図８】
2005328182.tif 000010